(57)【要約】      （修正有）【課題】１つのカメラ体に井戸の側壁側を視認し得るカメラ部と、底側を視認し得るカメラ部との双方を設けることで従来より極めて簡易に井戸の側壁及び底の視認調査を行うことができるカメラ装置を提供するものである。【解決手段】井戸の内部を目視調査するための井戸用カメラ装置であって、映像を捕らえるカメラ部が設けられたカメラ体２と、このカメラ体２で捕らえた映像を映し出すモニタと、カメラ体２とモニタを接続するケーブルとから成り、前記カメラ体２には第一カメラ部１ａと第二カメラ部１ｂとが設けられ、前記第一カメラ部１ａはカメラ体２の下端に設けられると共に、井戸７の底側の映像を捕らえられるように設定され、前記第二カメラ部１ｂは前記第一カメラ部１ａの上方に設けられると共に、井戸の側壁側の映像を捕らえられるように設定されている。【選択図】        図２
2004357111.tif 000002
【特許請求の範囲】
【請求項１】
井戸の内部を目視調査するための井戸用カメラ装置であって、映像を捕らえるカメラ部が設けられたカメラ体と、このカメラ体で捕らえた映像を映し出すモニタと、カメラ体とモニタを接続するケーブルとから成り、前記カメラ体には第一カメラ部と第二カメラ部とが設けられ、前記第一カメラ部はカメラ体の下端に設けられると共に、井戸の底側の映像を捕らえられるように設定され、前記第二カメラ部は前記第一カメラ部の上方に設けられると共に、井戸の側壁側の映像を捕らえられるように設定され、また、前記第二カメラ部はカメラ体の側部内壁と所定の空間が存在する状態で設けられており、前記第一カメラ部と前記モニタとを接続するケーブルはこの空間を通過するように構成されていることを特徴とする井戸用カメラ装置。
【請求項２】
請求項１記載の井戸用カメラ装置において、カメラ体は井戸の深さ方向に長い棒形状のものが採用されていることを特徴とする井戸用カメラ装置。
【請求項３】
請求項１，２いずれか１項に記載の井戸用カメラ装置において、カメラ体に設けられた第一カメラ部及び第二カメラ部の近傍には、照明部が設けられていることを特徴とする井戸用カメラ装置。
【請求項４】
請求項１〜３いずれか１項に記載の井戸用カメラ装置において、第二カメラ部は井戸の深さ方向から入射する映像を捕らえられる向きで設けられ、該第二カメラ部の井戸の深さ方向下方には光屈折部が設けられ、該光屈折部に写った映像が第二カメラ部に到達するように構成されていることを特徴とする井戸用カメラ装置。
【請求項５】
請求項１〜４いずれか１項に記載の井戸用カメラ装置において、第二カメラ部と光屈折部とは接離自在に設けられていることを特徴とする井戸用カメラ装置。
【請求項６】
請求項１〜５いずれか１項に記載の井戸用カメラ装置において、光屈折部の屈折面は井戸の深さ方向に対して４５°傾斜して設けられ、光屈折部はカメラ体の側部内壁と所定の空間が存在する状態で設けられ、前記第一カメラ部と前記モニタとを接続するケーブルはこの空間を通過するように構成されていることを特徴とする井戸用カメラ装置。
【発明の詳細な説明】
【０００１】
【発明の属する技術分野】
本発明は、井戸用カメラ装置に関するものである。
【０００２】
【従来の技術及び発明が解決しようとする課題】
従来から、例えば本出願人の出願に係る特開２０００−１６０９７８公報（以下、従来例という。）のように、井戸の内周壁（側壁）に補修が必要であるか否かを点検，調査，確認するための井戸用カメラが種々提案されている。
【０００３】
これら井戸用カメラは、従来例のように、井戸の側壁の全周を見れるようにカメラ部を内装したカメラ体の全周壁を透明とし、カメラ部の近傍に設けたプリズムにより前記透明壁を介してカメラ部に映像を取り込む構成で、このカメラ部及びプリズムはモータによって水平方向に回転するように設けられ、よって、このプリズムの回転によって井戸の側壁の全周の映像の視認が可能となる。
【０００４】
ところで、上述のように井戸の側壁しか視認することができないと、井戸内にポンプや配管等が設けられている場合、当該ポンプや配管等がカメラ体の吊り下げの障害になるか否かを視認できないという問題がある。
【０００５】
そこで、井戸の側壁の映像を捕らえることができるカメラ部（以下、側壁カメラ部という。）の他に、前記井戸の底側の映像を捕らえることができるカメラ部（以下、底カメラ部という。）を設けたいという要望があるが、この側壁カメラ部と底カメラ部の双方を設けるにあたっては以下のような問題がある。
【０００６】
即ち、前記底カメラ部で底方向の映像を捕らえるためには、底カメラ部を側壁カメラ部より下方、具体的には、最も広い視野角を得るために前記カメラ体の下端部に設ける必要がある。
【０００７】
この際、捕らえた映像をモニタに表示するため、前記夫々のカメラ部はこのモニタとケーブルで接続する必要があり、前記カメラ体の下端部に設けた底カメラ部に接続されるケーブルは、位置的にどうしても前記カメラ体内の側壁カメラ部が設けられる部位を通過しなければならない。
【０００８】
しかしながら、このカメラ体は、上述したようなポンプや配管等の障害物の間を移動させる必要があるためにできるだけ径小にする必要があり、その上、前記側壁カメラ部と共に設けられるプリズム及び該プリズムを駆動するモータの設置スペース並びにこれらの駆動スペースを確保する必要があることから、底カメラ部を設けた場合、該底カメラ部とモニタとを接続するケーブルを通過させるための空間を確保できず、結局、カメラ体に側壁カメラ部と底カメラ部との双方を設けたものは未だ提案されていない。
【０００９】
本発明は、上述のような現状に鑑み成されたもので、１つのカメラ体に井戸の側壁側を視認し得るカメラ部と、底側を視認し得るカメラ部との双方を設けることで従来より極めて簡易に井戸の側壁及び底の視認調査を行うことができる極めて実用性に秀れた井戸用カメラ装置を提供するものである。
【００１０】
【課題を解決するための手段】
添付図面を参照して本発明の要旨を説明する。
【００１１】
井戸７の内部を目視調査するための井戸用カメラ装置であって、映像を捕らえるカメラ部が設けられたカメラ体２と、このカメラ体２で捕らえた映像を映し出すモニタ３と、カメラ体２とモニタ３を接続するケーブルとから成り、前記カメラ体２には第一カメラ部１ａと第二カメラ部１ｂとが設けられ、前記第一カメラ部１ａはカメラ体２の下端に設けられると共に、井戸７の底側の映像を捕らえられるように設定され、前記第二カメラ部１ｂは前記第一カメラ部１ａの上方に設けられると共に、井戸７の側壁側の映像を捕らえられるように設定され、また、前記第二カメラ部１ｂはカメラ体２の側部内壁と所定の空間Ｓが存在する状態で設けられており、前記第一カメラ部１ａと前記モニタ３とを接続するケーブル４ａはこの空間Ｓを通過するように構成されていることを特徴とする井戸用カメラ装置に係るものである。
【００１２】
また、請求項１記載の井戸用カメラ装置において、カメラ体２は井戸７の深さ方向に長い棒形状のものが採用されていることを特徴とする井戸用カメラ装置に係るものである。
【００１３】
また、請求項１，２いずれか１項に記載の井戸用カメラ装置において、カメラ体２に設けられた第一カメラ部１ａ及び第二カメラ部１ｂの近傍には、照明部５が設けられていることを特徴とする井戸用カメラ装置に係るものである。
【００１４】
また、請求項１〜３いずれか１項に記載の井戸用カメラ装置において、第二カメラ部１ｂは井戸７の深さ方向から入射する映像を捕らえられる向きで設けられ、該第二カメラ部１ｂの井戸７の深さ方向下方には光屈折部６が設けられ、該光屈折部６に写った映像が第二カメラ部１ｂに到達するように構成されていることを特徴とする井戸用カメラ装置に係るものである。
【００１５】
また、請求項１〜４いずれか１項に記載の井戸用カメラ装置において、第二カメラ部１ｂと光屈折部６とは接離自在に設けられていることを特徴とする井戸用カメラ装置に係るものである。
【００１６】
また、請求項１〜５いずれか１項に記載の井戸用カメラ装置において、光屈折部６の屈折面は井戸７の深さ方向に対して４５°傾斜して設けられ、光屈折部６はカメラ体２の側部内壁と所定の空間Ｔが存在する状態で設けられ、前記第一カメラ部１ａと前記モニタ３とを接続するケーブル４ａはこの空間Ｔを通過するように構成されていることを特徴とする井戸用カメラ装置に係るものである。
【００１７】
【発明の作用及び効果】
井戸７の視認調査の際、第一カメラ部１ａでこの井戸７内部の障害物を確認しながら該カメラ体２を井戸７の内部で移動させて該井戸７の側壁を第二カメラ部１ｂにより視認することができる。
【００１８】
即ち、前記従来例のように、井戸７の底側を視認する第一カメラ部を設けたカメラ体と井戸７の側壁側を視認する第二カメラ部を設けたカメラ体の二つを用いる構成ではないから、第一カメラ部が設けられたカメラ体と第二カメラ部が設けられたカメラ体とを一々入れ替える必要なく単に１つのカメラ体２を井戸７に挿入するだけで井戸７の側壁の視認調査を行うことができる。
【００１９】
従って、本発明は、第一カメラ部１ａで井戸７の底を視認できることは勿論、該第一カメラ部１ａを用いることにより第二カメラ部１ｂによる側壁の視認も良好に行える従来より極めて簡易に井戸内の視認調査を行うことができる極めて実用性に秀れた井戸用カメラ装置となる。
【００２０】
【発明の実施の形態】
図は本発明の一実施例を図示したものであり、以下に説明する。
【００２１】
本実施例は、井戸７の内部を目視調査するための井戸用カメラ装置であって、映像を捕らえるカメラ部が設けられたカメラ体２と、このカメラ体２で捕らえた映像を映し出すモニタ３と、カメラ体２とモニタ３を接続するケーブルとから成り、前記カメラ体２には第一カメラ部１ａと第二カメラ部１ｂとが設けられ、前記第一カメラ部１ａはカメラ体２の下端に設けられると共に、井戸７の底側の映像を捕らえられるように設定され、前記第二カメラ部１ｂは前記第一カメラ部１ａの上方に設けられると共に、井戸７の側壁側の映像を捕らえられるように設定され、また、前記第二カメラ部１ｂはカメラ体２の側部内壁と所定の空間Ｓが存在する状態で設けられており、前記第一カメラ部１ａと前記モニタ３とを接続するケーブル４ａはこの空間Ｓを通過するように構成されているものである。
【００２２】
各部を具体的に説明すると、カメラ体２は井戸７の深さ方向に長い棒形状のものが採用されている。また、カメラ体２は防水構造のものが採用されている。
【００２３】
このカメラ体２の下端部には第一カメラ部１ａが設けられ、該カメラ体２の略中央部にして第一カメラ部１ａの上方位置には第二カメラ部１ｂが設けられている。尚、第二カメラ部１ｂは、ケーブル４ｂにより前記モニタ３と接続されている。
【００２４】
第一カメラ基板１８及び第一カメラ部１ａから成る第一ＣＣＤカメラ１９並びに第二カメラ基板２０及び第二カメラ部１ｂから成る第二ＣＣＤカメラ２１は、前記カメラ体２と同様の小型の棒形状のものが採用されている前記ＣＣＤカメラ１９・２１のレンズは、井戸７の底方向の映像が入射するように構成されている。
【００２５】
具体的には、第一ＣＣＤカメラ１９及び第二ＣＣＤカメラ２１は、カメラ体２と平行な状態でレンズを下方に向けて夫々カメラ体２の下端部及び中央部に設けられている。尚、このＣＣＤカメラ１９・２１としてはできるだけ径小のものが望ましい。
【００２６】
また、カメラ体２にして第二カメラ部１ｂの下方位置には、図２に図示したように井戸７の側壁側の映像を該第二カメラ部１ｂに到達させる光屈折部６としての直角プリズムが設けられている。
【００２７】
従って、第二ＣＣＤカメラ２１によって直接井戸７の側壁を視認する構成でなく、該第二ＣＣＤカメラ２１に前記直角プリズムを介して井戸７の側壁側の映像を入射させるように構成することで、第二ＣＣＤカメラ２１をカメラ体２と平行な状態で前記カメラ体２に設けられるから、該カメラ体２の径を可及的に小さくできる。
【００２８】
また、光屈折部６（直角プリズム）は井戸７の深さ方向に対して所定角度傾斜した状態で井戸７の側壁側を向くように設定され、この光屈折部６に写った映像が第二カメラ部１ｂに入射するように構成されているから、第二カメラ部１ｂは、カメラ体２に対して所定の一方向の映像が捕らえられるものである。
【００２９】
また、前記光屈折部６は、カメラ体２に対して所定の一方向を向いた状態で固定され、カメラ体２の側部にして前記光屈折部６の向いた方向の壁は透明に構成されているものである。従って、透明部分を介して井戸７の側壁の映像が直角プリズムに入射する。
【００３０】
第二カメラ部１ｂにより井戸７の側壁全周を視認するためには、このカメラ体２ごと回転させて前記光屈折部６に側壁全周の映像を入射させる必要があるが、実際に井戸７の側壁の状態を確認する際には、傷の位置がある程度分かっている状態で前記カメラ体２を井戸７に吊り下げる場合が多く、また、後述するケーブル体９を（手動若しくは自動で）回転させるだけで前記光屈折部６の向きを変えることができることから、例えば、光屈折部６が駆動体により回転する構成を採用する必要はない。
【００３１】
また、光屈折部６は井戸７の深さ方向に対して４５°傾斜して設けられている。
【００３２】
更に、光屈折部６はカメラ体２の側部内壁と所定の空間Ｔが存在する状態で設けられ、前記第一カメラ部１ａと前記モニタ３とを接続するケーブル４ａはこの空間Ｔを通過するように構成されている。
【００３３】
同様に、第二カメラ部１ｂはカメラ体２の側部内壁と所定の空間Ｓが存在する状態で設けられており、前記第一カメラ部１ａと前記モニタ３とを接続するケーブル４ａはこの空間Ｓを通過するように構成されている。
【００３４】
即ち、本実施例は、従来大きくスペースを占有していた光屈折部６を回転するための（駆動体等の）機構を省くことで、カメラ体２を径小に設定しても、カメラ体２側部内壁と第二カメラ部１ｂと光屈折部６との間に十分なスペースを確保し得るように構成したものである。
【００３５】
同様に、第二カメラ部１ｂはカメラ体２の側部内壁と所定の空間Ｓが存在する状態で設けられており、前記第一カメラ部１ａと前記モニタ３とを接続するケーブル４ａはこの空間Ｓを通過するように構成されている。
【００３６】
また、第二カメラ部１ｂは光屈折部６と接離自在に構成されている。具体的には、この第二カメラ部１ｂの上方に、この第二カメラ部１ｂを昇降させるためのモータ１４を設けることで、このモータ１４の駆動により第二カメラ部１ｂを光屈折部６に対して接離させることができるように構成されている。このように第二カメラ部１ｂと光屈折部６とを接離することができるように構成することで、井戸７の側壁までの距離に応じて焦点を変えることができ、より明確な映像を捕らえることができる。尚、第一カメラ部１ａは、吊り下げ深さを変えることで焦点を変えることができるため、上述のような構成は必要ない。
【００３７】
また、ＣＣＤカメラ１９・２１のレンズの周囲には図４に図示したように、照明部５が設けられている。この照明部５としては白色ＬＥＤが採用されている。
【００３８】
また、カメラ体２は、ケーブル体９により例えばウインチ等の搬送装置８と連結されている（図１参照）。尚、ケーブル体９内には前記ケーブル４ａ・４ｂ，前記モータ１４と電源との接続コード１５や照明部５のＬＥＤと電源との接続コード１６等の配線が挿通されている。
【００３９】
尚、図中符号１０は、井戸７の水を組み上げるためのポンプ、１１は水を組み上げるための通水管、１２は通水バルブ、１３はケーブル体９を巻回する回転体、１７はカメラ体２内の前記配線をまとめてケーブル体９と連結するコネクタである。
【００４０】
本実施例は、上述のように構成したから、井戸７の視認調査の際、第一カメラ部１ａでこの井戸７内部の障害物を確認しながら該カメラ体２を井戸７の内部で移動させて該井戸７の側壁を第二カメラ部１ｂにより視認することができる。
【００４１】
即ち、前記従来例のように、井戸７の底側を視認する第一カメラ部を設けたカメラ体と井戸７の側壁側を視認する第二カメラ部を設けたカメラ体の二つを用いる構成ではないから、第一カメラ部が設けられたカメラ体と第二カメラ部が設けられたカメラ体とを一々入れ替える必要なく単に１つのカメラ体２を井戸７に挿入するだけで井戸７の側壁の視認調査を行うことができる。
【００４２】
また、照明部５により暗い井戸７内でも常に良好な映像を視認できる。
【００４３】
更に、第一カメラ部１ａは勿論、第二カメラ部１ｂも焦点を任意に調整できるから、この点からも常に良好な映像を視認できる。
【００４４】
従って、本実施例は、第一カメラ部１ａで井戸７の底を視認できることは勿論、該第一カメラ部１ａを用いることにより第二カメラ部１ｂによる側壁の視認も良好に行える従来より極めて簡易に井戸内の視認調査を行うことができる極めて実用性に秀れた井戸用カメラ装置となる。
【図面の簡単な説明】
【図１】本実施例の概略説明図である。
【図２】本実施例のカメラ体の説明断面図である。
【図３】本実施例のカメラ体の説明側面図である。
【図４】本実施例のカメラ体の説明端面図である。
【符号の説明】
１ａ  第一カメラ部
１ｂ  第二カメラ部
２  カメラ体
３  モニタ
４ａ  ケーブル
５  照明部
６  光屈折部
７  井戸
Ｓ  （第二カメラ部１ｂとカメラ体２の内部側壁との）空間
Ｔ  （光屈折部６とカメラ体２の内部側壁との）空間
【図１】
2004357111.tif 000003
【図２】
2004357111.tif 000004
【図３】
2004357111.tif 000005
【図４】
2004357111.tif 000006